(57)【要約】【課題】大径化された光ファイバ心線やテープ状光ファイバ心線であっても、ケーブル外被から容易に取出すことができる心線取出し性に優れた光ドロップケーブルを提供する。【解決手段】光ファイバ心線１１と、これに並行に配置された抗張力体１２ａ、１２ｂと、これらの外周に一括して押出被覆された外被１３とを備え、外被１３の両側面に１対の幅広の主ノッチ１４ａ、１４ｂを設けるとともに、これらの各主ノッチ１４ａ、１４ｂに、その先端から光ファイバ心線１１までの距離が０．１８〜０．３５ｍｍで、先端の延長線が光ファイバ心線１１の中心からＬ／４〜３Ｌ／４（ここで、Ｌは光ファイバ心線１１の直径もしくはケーブル高さ方向の径）の範囲にあるようなケーブル幅方向に延びる副ノッチ１５ａ、１５ｂを、一方の主ノッチ１４ａにはその下端寄りに、他方の主ノッチ１４ｂにはその上端寄りに、それぞれ設けた光ドロップケーブル１０１である。【選択図】図１
2006003689.tif 000002
【特許請求の範囲】
【請求項１】
断面が円形状もしくは矩形状の光ファイバ心線と、この光ファイバ心線の上方および／または下方に並行に配置された抗張力体と、これらの外周に一括して押出被覆された外被とを備えた光ドロップケーブルであって、
前記外被の両側面に１対の幅広の主ノッチを設けるとともに、これらの各主ノッチに、その先端から前記光ファイバ心線までの距離が０．１８〜０．３５ｍｍで、先端の延長線が前記光ファイバ心線の中心からＬ／４〜３Ｌ／４（ここで、Ｌは光ファイバ心線の直径もしくはケーブル高さ方向の径）の範囲にあるようなケーブル幅方向に延びる副ノッチを、一方の主ノッチにはその上端寄りに、他方の主ノッチにはその下端寄りに、それぞれ設けたことを特徴とする光ドロップケーブル。
【請求項２】
光ファイバ心線と、この光ファイバ心線の上方および／または下方に並行に配置された抗張力体と、これらの外周に一括して押出被覆された第１の外被とを備えたケーブル部と、支持線の外周に第２の外被を施してなる支持線部と、前記第１および第２の外被と一体に設けられ、前記ケーブル部と支持線部とを連結する連結部とを備えた光ドロップケーブルであって、
前記第１の外被の両側面に１対の幅広の主ノッチを設けるとともに、これらの各主ノッチに、その先端から前記光ファイバ心線までの距離が０．１８〜０．３５ｍｍで、先端の延長線が前記光ファイバ心線の中心からＬ／４〜３Ｌ／４の範囲にあるようなケーブル幅方向に延びる副ノッチを、一方の主ノッチにはその上端寄りに、他方の主ノッチにはその下端寄りに、それぞれ設けたことを特徴とする光ドロップケーブル。
【請求項３】
Ｌが０．４ｍｍ以上であることを特徴とする請求項１または２記載の光ドロップケーブル。
【請求項４】
前記光ファイバ心線は、直径が０．４ｍｍ以上の断面円形状の光ファイバ心線、または長径が０．５ｍｍ以上で、長径面をケーブル高さ方向と平行に配置された光ファイバテープ心線であることを特徴とする請求項１または２記載の光ドロップケーブル。
【発明の詳細な説明】
【技術分野】
【０００１】
本発明は、架空または地下に布設されている配線系ケーブルから一般加入者宅内へ引き込み配線するために使用される光ドロップケーブルに関する。
【背景技術】
【０００２】
架空または地下に布設された配線系ケーブルから一般加入者宅内へ引き込み配線するために使用されるいわゆる光ドロップケーブルとして、１〜２本の単心光ファイバ心線の両側または片側に鋼線あるいはＦＲＰ（ガラス繊維強化プラスチック）などからなる抗張力体を配置し、これらをポリエチレンなどの樹脂で一括被覆したもの（地下光ドロップケーブル）、あるいは、かかるケーブルにさらに鋼線からなる支持線を沿わせ一体化したもの（架空光ドロップケーブル）が知られている（例えば、特許文献１参照。）。
【０００３】
図３に、架空光ドロップケーブルの一例を示す。同図に示すように、この光ドロップケーブルは、１本の単心光ファイバ心線１を挟んでその上下に抗張力体２、２を配置し、さらにその上に支持線３を配置し、これらの外周にポリエチレンなどの樹脂を一括押出被覆して外被４を設けた構造を有する。このケーブルの支持線３と抗張力体２の間には、ケーブルを支持線部５とケーブル部６に分割する連結部（首部）７が設けられており、また、ケーブル部６の外被４の両側面のほぼ中央部分には、引き裂き用のノッチ８、８が設けられている。
【０００４】
このような光ドロップケーブルにおいては、支持線３が設けられているため、架空布設が可能であり、また、連結部７が設けられているため、ケーブル部６を支持線部５から分離させて屋内配線することができる。さらに、引き裂き用のノッチ８が設けられているため、これらのノッチ８部分で外被４をケーブルの幅方向に引き裂いて内部の光ファイバ心線１を容易に取り出すことができる。
【０００５】
ところで、近時、この種の光ドロップケーブルにおいては、端末処理や中間分岐の際に光ファイバ心線が折れたりすることのないように、光ファイバ心線として、光ファイバを保護する被覆を厚肉に形成したものや、光ファイバ心線の外周にさらに被覆を施しコード化したものが使用されるようになってきた。また、需要の増大に対応するため、複数本の光ファイバ素線を並列させ、その外周に一括被覆を施した多心のテープ状光ファイバ心線も多く使用されるようになってきた。このような光ファイバ心線の大径化やテープ状光ファイバ心線の使用の増加に伴い、次のような問題が発生している。
【０００６】
すなわち、細径の単心光ファイバ心線を１〜２本埋設した従来の光ドロップケーブルにおいては、前述したように、外被４の両側面のほぼ中央に設けたノッチ８部分で外被４を引き裂くことにより、容易に光ファイバ心線１を取出すことができる。しかしながら、大径化した単心光ファイバ心線やテープ状光ファイバ心線を使用した場合、外被４との接触面積が増大するため、ノッチ８部分で外被４を引き裂いても、単心光ファイバ心線やテープ状光ファイバ心線は、２つに分割された外被のいずれか一方に密着した状態で残ってしまい、外被４からの取出しが細径の単心光ファイバ心線の場合のように容易ではなかった。
【特許文献１】特開２００２−３６５４９９号公報
【発明の開示】
【発明が解決しようとする課題】
【０００７】
本発明は上記従来技術の課題に対処してなされたもので、大径化された光ファイバ心線やテープ状光ファイバ心線であっても、ケーブル外被から容易に取出すことができる心線取出し性に優れた光ドロップケーブルを提供することを目的とする。
【課題を解決するための手段】
【０００８】
上記目的を達成するため、本願の請求項１に記載の発明の光ドロップケーブルは、断面が円形状もしくは矩形状の光ファイバ心線と、この光ファイバ心線の上方および／または下方に並行に配置された抗張力体と、これらの外周に一括して押出被覆された外被とを備えた光ドロップケーブルであって、前記外被の両側面に１対の幅広の主ノッチを設けるとともに、これらの各主ノッチに、その先端から前記光ファイバ心線までの距離が０．１８〜０．３５ｍｍで、先端の延長線が前記光ファイバ心線の中心からＬ／４〜３Ｌ／４（ここで、Ｌは光ファイバ心線の直径もしくはケーブル高さ方向の径）の範囲にあるようなケーブル幅方向に延びる副ノッチを、一方の主ノッチにはその上端寄りに、他方の主ノッチにはその下端寄りに、それぞれ設けたことを特徴とするものである。
【０００９】
また、本願の請求項２に記載の発明の光ドロップケーブルは、光ファイバ心線と、この光ファイバ心線の上方および／または下方に並行に配置された抗張力体と、これらの外周に一括して押出被覆された第１の外被とを備えたケーブル部と、支持線の外周に第２の外被を施してなる支持線部と、前記第１および第２の外被と一体に設けられ、前記ケーブル部と支持線部とを連結する連結部とを備えた光ドロップケーブルであって、前記第１の外被の両側面に１対の幅広の主ノッチを設けるとともに、これらの各主ノッチに、その先端から前記光ファイバ心線までの距離が０．１８〜０．３５ｍｍで、先端の延長線が前記光ファイバ心線の中心からＬ／４〜３Ｌ／４（ここで、Ｌは光ファイバ心線の直径もしくはケーブル高さ方向の径）の範囲にあるようなケーブル幅方向に延びる副ノッチを、一方の主ノッチにはその上端寄りに、他方の主ノッチにはその下端寄りに、それぞれ設けたことを特徴とするものである。
【００１０】
請求項３に記載の発明は、請求項１または２記載の光ドロップケーブルにおいて、Ｌが０．４ｍｍ以上であることを特徴とする
【００１１】
請求項４に記載の発明は、請求項１または２記載の光ドロップケーブルにおいて、前記光ファイバ心線は、直径が０．４ｍｍ以上の断面円形状の光ファイバ心線、または長径が０．５ｍｍ以上で、長径面をケーブル高さ方向と平行に配置された光ファイバテープ心線であることを特徴とするものである。
【発明の効果】
【００１２】
本発明によれば、大径化された光ファイバ心線やテープ状光ファイバ心線であっても、ケーブル外被から容易に取出すことができる心線取出し性に優れた光ドロップケーブル光ドロップケーブルを得ることができる。
【発明を実施するための最良の形態】
【００１３】
以下、本発明の実施の形態を図面を用いて説明する。
【００１４】
図１は、本発明の光ドロップケーブルの一実施形態を説明する図で、（ａ）は全体の断面構造を示す図、また、（ｂ）はその要部を拡大して示す図である。
【００１５】
図１の（ａ）に示すように、本実施形態の光ドロップケーブル１０１は、ケーブル部１０と支持線部２０とこれらを連結する連結部３０とから構成されている。
【００１６】
ケーブル部１０は、１本の断面円形状の単心光ファイバ心線１１と、この単心光ファイバ心線１１の上方および下方にそれぞれの中心が同一平面上に位置するように間隔をおいて並行に配置された鋼線、ＦＲＰ（ガラス繊維強化プラスチック）などからなる抗張力体１２ａ、１２ｂ（以下、単心光ファイバ心線１１上方の抗張力体１２ａを第１の抗張力体、単心光ファイバ心線１１下方の抗張力体１２ｂを第２の抗張力体と称する。）と、これらの外側に一括して押出被覆されたポリエチレンや塩化ビニル樹脂などのプラスチックからなる外被１３とを備えている。外被１３は断面が矩形状に形成されている。
【００１７】
また、支持線部２０は、鋼線などからなる支持線２１と、その外周にケーブル部１０の外被１３および連結部３０と一体に押出被覆された被覆２２とから構成されている。被覆２２は断面が円形状に形成されている。
【００１８】
ケーブル部１０の単心光ファイバ心線１１が位置する部分の両側の外被１３の表面には、断面が逆台形状で両端が単心光ファイバ心線１１の上端および下端の位置にそれぞれほぼ達するような幅広の主ノッチ１４ａ、１４ｂが設けられ、さらに、これらの主ノッチ１４ａ、１４ｂには、ケーブル幅方向に延びる副ノッチ１５ａ、１５ｂがそれぞれ設けられている。具体的には、副ノッチ１５ａ（以下、第１の副ノッチと称する。）は、一方の主ノッチ１４ａ（以下、第１の主ノッチと称する。）の下端部、すなわち、第２の抗張力体１２ｂ寄りの端部に設けられており、副ノッチ１５ｂ（以下、第２の副ノッチと称する。）は、他方の主ノッチ１４ｂ（以下、第２の主ノッチと称する。）の上端部、すなわち、第１の抗張力体１２ａ寄りの端部に設けられている。
【００１９】
そして、図１の（ｂ）に示すように、第１の副ノッチ１５ａは、その先端から単心光ファイバ心線１１までの距離ａが０．１８〜０．３５ｍｍで、先端の延長線の単心光ファイバ心線１１の中心からの距離ｂがＬ／４〜３Ｌ／４（ここで、Ｌは単心光ファイバ心線１１の直径）であるように、すなわち、先端の延長線が単心光ファイバ心線１１の中心からＬ／４〜３Ｌ１／４の範囲にあるように設けられている。また、図面には示さなかったが、第２の副ノッチ１５ｂも、第１の副ノッチ１５ａと同様、先端から単心光ファイバ心線１１までの距離が０．１８〜０．３５ｍｍで、先端の延長線の単心光ファイバ心線１１の中心からの距離ｂがＬ／４〜３Ｌ／４であるように、すなわち、先端の延長線が単心光ファイバ心線１１の中心からＬ／４〜３Ｌ／４の範囲にあるように、設けられている。なお、第１および第２の副ノッチ１６ａ、１６ｂの形状は特に限定されるものではなく、単なる切り込みであってもよく、細い溝であってもよい。
【００２０】
上記単心光ファイバ心線１１は、特に限定されるものではなく、光ファイバの外周にシリコーン樹脂や紫外線硬化型樹脂などを被覆したもの、その外周にさらにナイロン樹脂や着色剤配合の熱可塑性エラストマ、例えばポリブチレンナフタレート系熱可塑性エラストマやポリブチレンテレフタレート系熱可塑性エラストマなどを被覆したものなどが使用される。また、ナイロン樹脂等の被覆の上にさらに抗張力繊維層を介してポリエチレンや塩化ビニル樹脂などの熱可塑性樹脂を被覆したもの（通常、光ファイバコードと称する）なども使用可能である。抗張力繊維層を構成する抗張力繊維としては、例えばポリ−ｐ−フェニレンテレフタルアミド繊維などのアラミド系繊維、ポリエチレンテレフタレート繊維などのポリエステル系繊維、ナイロン繊維などが挙げられる。
【００２１】
また、ケーブル部１０の外被１３、支持線部２０の被覆２２および連結部３０を構成する材料としては、ポリエチレンや塩化ビニル樹脂の他、ポリプロピレン、エチレン−酢酸ビニル共重合体、エチレン−エチルアクリレート共重合体、エチレン−プロピレン共重合体などが使用される。これらの樹脂には、難燃剤や着色剤などが配合されていてもよい。
【００２２】
さらに、第１および第２の抗張力体１３ａ、１３ｂを構成する材料としては、鋼線やＦＲＰの他、ポリ−ｐ−フェニレンテレフタルアミド繊維などのアラミド繊維、ポリエチレンテレフタレート繊維などのポリエステル系繊維、ナイロン繊維、これらの繊維をポリエステル−アクリレート樹脂などで収束し結着させた複合材などが挙げられる。
【００２３】
本実施形態の光ドロップケーブル１０１においては、ケーブル部１０の外被１３の両側面に単心光ファイバ心線１１を挟んで幅広の主ノッチ１４ａ、１４ｂが設けられ、さらに、これらの各主ノッチ１４ａ、１４ｂに、その先端から単心光ファイバ心線１１までの距離が０．１８〜０．３５ｍｍで、先端の延長線が単心光ファイバ心線１１の中心からＬ／４〜３Ｌ／４の範囲にあるようなケーブル幅方向に延びる副ノッチ１５ａ、１５ｂが、一方の主ノッチ１４ａにはその下端寄りに、他方の主ノッチ１４ｂにはその上端寄りに、それぞれ設けられている。このように、副ノッチ１５ａ、１５ｂを設けただけでなく、その長さおよび位置を特定したことにより、主ノッチ１４ａ、１４ｂ部分で外被１３を引き裂こうとすると、単心光ファイバ心線１１を挟んで対角に位置する副ノッチ１５ａ、１５ｂの先端を結ぶ線に沿って引き裂かれ、単心光ファイバ心線１１が大径化されたものであっても、容易に取り出すことができる。そのうえ、副ノッチ１５ａ、１５ｂを設けたことで、環境温度の変化に伴い外被１３に亀裂が生じることが懸念されるが、後述する実施例からも明らかなように、かかる問題が発生することもない。
【００２４】
なお、本発明は、以上説明した実施形態に限定されるものではなく、例えば図２に示すように、単心光ファイバ心線１１に代えて、光ファイバテープ心線１６を使用してもよい。図２に示す光ファイバケーブル１０２は、第１の実施形態において、単心光ファイバ心線１１に代えて、４本の光ファイバ素線１６ａを並列させ、その外周に一括被覆１６ｂを施した４心光ファイバテープ心線１６を、その長径面をケーブル高さ方向と平行に配置したものである。なお、この場合、図２の（ｂ）に示すように、副ノッチ１５ａ、１５ｂの位置を規定するＬは、４心光ファイバテープ心線１６のケーブル高さ方向の径、長径である。すなわち、この例においては、第１の副ノッチ１５ａは、その先端から光ファイバテープ心線１６までの距離ａが０．１８〜０．３５ｍｍで、先端の延長線の光ファイバテープ心線１６の中心からの距離ｂがＬ／４〜３Ｌ／４（ここで、Ｌは光ファイバテープ心線１６の長径）であるように設けられている。また、図面には示さなかったが、第２の副ノッチ１５ｂも、第１の副ノッチ１５ａと同様、先端から光ファイバテープ心線１６までの距離が０．１８〜０．３５ｍｍで、先端の延長線の光ファイバテープ心線１６の中心からの距離ｂがＬ／４〜３Ｌ／４であるように設けられている。
【００２５】
このような光ドロップケーブル１０２においても、主ノッチ１４ａ、１４ｂ部分で外被１３を引き裂こうとすると、光ファイバテープ心線１６を挟んで対角に位置する副ノッチ１５ａ、１５ｂの先端を結ぶ線に沿って引き裂かれ、光ファイバテープ心線１６を容易に取出すことができる。また、環境温度の変化に伴う外被１３の亀裂の発生も防止される。
【００２６】
また、図示は省略したが、本発明の光ドロップケーブルは、上記ケーブル部１０のみで構成されていてもよい。図１および図２に示す各光ドロップケーブル１０１、１０２が、いずれも架空光ドロップケーブルとして使用されるものであるのに対し、ケーブル部１０のみで構成される光ドロップケーブルは、地下光ドロップケーブルとして使用される。
【００２７】
本発明は、上記のように定義されるＬが０．４ｍｍ以上である単心光ファイバ心線または光ファイバテープ心線を埋設した光ドロップケーブルに適用した場合に、顕著な効果が得られる。直径が０．４ｍｍ以上の断面円形状の単心光ファイバ心線または長径が０．５ｍｍ以上で長径面をケーブル高さ方向と平行に配置された光ファイバテープ心線を埋設した光ドロップケーブルに適用した場合には、特に顕著な効果が得られる。
【実施例１】
【００２８】
次に、本発明を実施例によりさらに詳細に説明するが、本発明はこれらの実施例に限定されるものではない。
【００２９】
実施例１〜３
単心光ファイバ心線１１として、外径０．２５ｍｍの単心紫外線硬化型樹脂被覆光ファイバ素線の外周に、Ｈｙｔｒｅｌ６３４７（ポリエステル系エラストマの商品名、東レ・デュポン社製）を被覆した外径０．４ｍｍの単心光ファイバ心線を用い、図１に示す構造の光ドロップケーブルを製造した。なお、抗張力体１２ａ、１２ｂには、外径０．４ｍｍのＦＲＰロッドを用い、支持線２１には、外径１．２ｍｍの単鋼線を用いた。
【００３０】
まず、１本の単心光ファイバ心線１１と２本の抗張力体１２ａ、１２ｂと、支持線２１とを、図１に示すように平行に並べた状態で押出し機に導入し、その外周にノンハロゲン難燃ポリエチレン（日本ユニカー社製  商品名 ＮＵＣ９７３９）を一括押出被覆した後、ケーブル部１０両側の主ノッチ１４ａ、１４ｂに副ノッチ１５ａ、１５ｂ用の切り込みを入れて、全体の幅が２．０ｍｍ、同高さが５．０ｍｍ、ケーブル部１０の主ノッチ幅が最小部０．５ｍｍ、最大部０．８ｍｍ、同深さが０．８ｍｍであって、ａ（各副ノッチ１５ａ、１５ｂの先端から単心光ファイバ心線１１までの距離）およびｂ（各副ノッチ１５ａ、１５ｂ先端の延長線の単心光ファイバ心線１１の中心からの距離）がそれぞれ表１に示すような光ドロップケーブルを製造した。
【００３１】
実施例４、５
単心光ファイバ心線１１として、外径０．２５ｍｍの単心紫外線硬化型樹脂被覆光ファイバ素線の外周にナイロン樹脂を被覆して外径０．９ｍｍのナイロン心線とし、さらにこのナイロン心線の外周に、ポリ−ｐ−フェニレンテレフタルアミド繊維（ケブラー４９：商標；１１４０デニール２本撚り）を縦添えしつつ、押出し機に導入し、その外周に軟質塩化ビニル樹脂（リケンテクノス社製  商品名 Ｖ１２０Ａ）を厚さ０．２５ｍｍのパイプ状に押出被覆して得られた外径１．５ｍｍの光ファイバコードを用い、図１に示す構造の光ドロップケーブルを製造した。なお、抗張力体１２ａ、１２ｂには、外径０．４ｍｍのＦＲＰロッドを用い、支持線２１には、外径１．２ｍｍの単鋼線を用いた。
【００３２】
まず、１本の単心光ファイバ心線１１と２本の抗張力体１２ａ、１２ｂと、支持線２１とを、図１に示すように平行に並べた状態で押出し機に導入し、その外周にノンハロゲン難燃ポリエチレン（日本ユニカー社製  商品名 ＮＵＣ９７３９）を一括押出被覆した後、ケーブル部１０両側の主ノッチ１４ａ、１４ｂに副ノッチ１５ａ、１５ｂ用の切り込みを入れて、全体の幅が２．５ｍｍ、同高さが５．５ｍｍ、ケーブル部１０の主ノッチ幅が最小部１．５ｍｍ、最大部１．８ｍｍ、同深さが０．３ｍｍであって、ａ（各副ノッチ１５ａ、１５ｂの先端から単心光ファイバ心線１１までの距離）およびｂ（各副ノッチ１５ａ、１５ｂ先端の延長線の単心光ファイバ心線１１の中心からの距離）がそれぞれ表１に示すような光ドロップケーブルを製造した。
【００３３】
実施例６
光ファイバテープ心線１６として、外径０．２５ｍｍの単心紫外線硬化型樹脂被覆光ファイバ素線を４本並列させ、その外周に紫外線硬化型樹脂を一括被覆した長径１．１ｍｍ、短径０．３ｍｍの光ファイバテープ心線を用い、図２に示す構造の光ドロップケーブルを製造した。なお、抗張力体１２ａ、１２ｂには、外径０．４ｍｍのＦＲＰロッドを用い、支持線２１には、外径１．２ｍｍの単鋼線を用いた。
【００３４】
まず、１本の光ファイバテープ心線１６と２本の抗張力体１２ａ、１２ｂと、支持線２１とを、図２に示すように平行に並べた状態で押出し機に導入し、その外周にノンハロゲン難燃ポリエチレン（日本ユニカー社製  商品名 ＮＵＣ９７３９）を一括押出被覆した後、ケーブル部１０両側の主ノッチ１４ａ、１４ｂに副ノッチ１５ａ、１５ｂ用のＶ溝を入れて、全体の幅が２．０ｍｍ、同高さが６．０ｍｍ、ケーブル部１０の主ノッチ幅が最小部１．１ｍｍ、最大部１．５ｍｍ、同深さが０．５ｍｍであって、ａ（各副ノッチ１５ａ、１５ｂの先端から光ファイバテープ心線１６までの距離）およびｂ（各副ノッチ１５ａ、１５ｂ先端の延長線の光ファイバテープ心線１６の中心からの距離）がそれぞれ表１に示すような光ドロップケーブルを製造した。
【００３５】
得られた各光ドロップケーブルについて、単心光ファイバ心線１１または光ファイバテープ心線１６の外被１３からの取出しを試み、その取出し性を評価した。また、ケーブル部１０の機械的強度を評価するため、得られた各光ドロップケーブルに−３０℃〜＋７０℃を３サイクル、各温度の保持時間を６時間とするヒートサイクル試験を行った後、ケーブルをドラムに巻き取り、ケーブル部外被１３における亀裂の発生の有無を調べた。これらの結果を表１に示す。
【００３６】
なお、表１には、本発明との比較とのために、ａおよびｂの各値が本発明による範囲から外れるようにした以外は実施例１と同一構成とした光ドロップケーブルについて、同様に特性評価した結果を、比較例１、２として併せ示した。
【表１】
2006003689.tif 000003
【００３７】
表１からも明らかなように、本発明に係る光ドロップケーブルでは、心線の取出し性が良好で、ヒートサイクル試験の結果も良好であったのに対し、比較例１では、心線取出し性が良好であったものの、ヒートサイクル後にドラムに巻き取った際にはケーブル部外被に亀裂の発生が認められ、また、比較例２では、ヒートサイクル試験の結果は良好であったものの、心線の取出し性が不良であった。
【図面の簡単な説明】
【００３８】
【図１】本発明の光ドロップケーブルの一実施形態を説明する図で、（ａ）は全体の断面図、（ｂ）はその要部拡大断面図。
【図２】本発明の光ドロップケーブルの他の実施形態を説明する図で、（ａ）は全体の断面図、（ｂ）はその要部拡大断面図。
【図３】従来の光ドロップケーブルの一例を示す断面図。
【符号の説明】
【００３９】
１０…ケーブル部、１１…単心光ファイバ心線、１３…外被、１４ａ，１４ｂ…主ノッチ、１５ａ，１５ｂ…副ノッチ、１６…光ファイバテープ心線、２１…支持線、２２…被覆、３０…連結部、１０１，１０２…光ドロップケーブル
【図１】
2006003689.tif 000004
【図２】
2006003689.tif 000005
【図３】
2006003689.tif 000006